(57)【特許請求の範囲】
【請求項１】
建造物の上階床と下階床を繋ぐエスカレータの取付構造において、該エスカレータの両端をそれぞれの階床の支持部に対して回動機構を介して結合させて取り付けると共に、該結合部の一方に、両階床支持部間に生ずるスパン変化を吸収するスライド機構を設け、
前記回動機構は、鉛直軸周り、及び、前記エスカレータの長手方向と直交する水平軸周りのみに回動可能な機構であり、
前記エスカレータの一端に設けられた前記回動機構は、
前記鉛直軸周りに回転可能なベアリングと、
一方の前記階床の前記支持部上に前記ベアリングを介して取り付けられた支持部材と、
前記エスカレータの一端部の取付金具に一体的に固設された結合部材を、前記支持部材に対して前記水平軸周りに回転可能に結合するピンと、を備え、
前記エスカレータの他端に設けられた前記回動機構は、
前記鉛直軸周りに回転可能なベアリングと、
他方の前記階床の前記支持部上に前記ベアリングを介して取り付けられたコ字状の支持部材と、
前記コ字状の支持部材の二つの側壁間に入り込んだ前記エスカレータの他端部の取付金具を前記エスカレータの長手方向に沿って摺動自在に支持するローラを、前記支持部材に対して前記水平軸周りに回転可能に結合するピンと、を備えることを特徴とするエスカレータの取付構造。
【請求項２】
前記エスカレータと両階床との取り合い部分に弾性部材を介在させたことを特徴とする請求項１に記載のエスカレータの取付構造。
【請求項３】
前記上階側と下階側とで建造物の構造が異なり、少なくともその一方が免震構造または柔構造であることを特徴とする請求項１又は２に記載のエスカレータの取付構造。
【発明の詳細な説明】
【０００１】
【発明の属する技術分野】
本発明は、複数の階床を有する建造物の上階床と下階床とを連絡するエスカレータの取付構造に係わり、特に両階床間に生ずる相対変位の吸収機能を備えたエスカレータの取付構造に関する。
【０００２】
【従来の技術】
従来より、複数の階床を有する建造物の上階床と下階床とを連絡するものとしてエスカレータが設置されているが、図５，６に示すように当該エスカレータ３は、両階床１，２間に掛け渡されて、エスカレータフレーム１４の両端に設けられた取付金具１４ａ，１４ｂが、両階床１，２に堀込まれて段状に凹設された支持台４，６にボルト１５等で締結固定され、さらにその上側にはボルト締結部の凹部を埋めるようにモルタル１６が打設され剛結合されている。なお、１７は床面仕上げ材である。
【０００３】
【発明が解決しようとする課題】
ところで、一般的な階高３ｍ程度の剛構造の非免震建造物では大地震が発生すると、上階と下階とを連絡するエスカレータの取付部には１〜２ｃｍ程の相対変位が生じ、建造物が柔構造の場合には、さらに大きな相対変位が生じる。
【０００４】
また、空港等の大空間構造物にあっては、エスカレータが連絡する階床が地上階と３階のように直上階ではないこともあり、このような場合には、取付階床間の高さが高くなるに従い相対変位が大きくなる。また、このような長大なエスカレータになると、当該エスカレータ自身の温度変化による熱膨張や収縮の変形も大きくなる。このため、上述のように両端を各階床にリジッドに剛接合された従来のエスカレータの取付構造では、その自重や温度変化による変形はもとより、地震などにより各階床取付部に生じる相対変位を吸収できず、過大な応力や歪みが発生して破損される恐れがあった。
【０００５】
また、建造物の構造には、免震構造、非免震構造、剛構造、柔構造などがあり、近年では、既存の非免震構造の建造物上方や側方に免震構造や柔構造の建造物を増築したり、地下にある非免震構造の建造物の上方地上部に免震構造や柔構造の建造物を構築し、これら構造の異なる階床間をエスカレータで連結することも多くなっている。従って、このように連絡する階床が設けられている建造物のうち少なくとも一方が免震構造あるいは柔構造であると、揺れモードの違いにより、エスカレータを固定している階床の相対的な位置関係は、エスカレータの搬送方向に沿って一次元的に近接離間するのではなく、二次元的または三次元的に相対変位し、さらには各階床１，２にはねじれ振動も作用するから、当該相対変位は大きくなり易く、上記破損の問題がより顕著になる。なお、上記免震構造の建造物とは、下部構造体上に鉛直方向の加重負担性に優れて水平方向の変位性に富むアイソレータ等の弾性部材を介して上部構造体を支持させたものである。
【０００６】
本発明は、上記課題に鑑みてなされたものであり、その目的は、建造物の上下の階床間に生じる相対変位を吸収可能で、耐震性に優れたエスカレータの取付構造を提供することにある。
【０００７】
【課題を解決するための手段】
本願発明は、建造物の上階床と下階床を繋ぐエスカレータの取付構造において、該エスカレータの両端をそれぞれの階床の支持部に対して回動機構を介して結合させて取り付けると共に、該結合部の一方に、両階床支持部間に生ずるスパン変化を吸収するスライド機構を設け、前記回動機構は、鉛直軸周り、及び、前記エスカレータの長手方向と直交する水平軸周りのみに回動可能な機構であり、
前記エスカレータの一端に設けられた前記回動機構は、
前記鉛直軸周りに回転可能なベアリングと、
一方の前記階床の前記支持部上に前記ベアリングを介して取り付けられた支持部材と、
前記エスカレータの一端部の取付金具に一体的に固設された結合部材を、前記支持部材に対して前記水平軸周りに回転可能に結合するピンと、を備え、
前記エスカレータの他端に設けられた前記回動機構は、
前記鉛直軸周りに回転可能なベアリングと、
他方の前記階床の前記支持部上に前記ベアリングを介して取り付けられたコ字状の支持部材と、
前記コ字状の支持部材の二つの側壁間に入り込んだ前記エスカレータの他端部の取付金具を前記エスカレータの長手方向に沿って摺動自在に支持するローラを、前記支持部材に対して前記水平軸周りに回転可能に結合するピンと、を備えることを特徴とするエスカレータの取付構造、である。
【０００８】
また、前記エスカレータと両階床との取り合い部分に弾性部材を介在させたこととしてもよい。
【０００９】
また、前記上階側と下階側とで建造物の構造が異なり、少なくともその一方が免震構造または柔構造であることとしてもよい。
【００１２】
【発明の実施の形態】
以下に、本発明にかかるエスカレータ構造の実施形態について、図１，２，３に示す実施例により詳細に説明する。なお、同図において図５，６に示した従来例と同一の部材には同一の符号を付してある。
【００１３】
図１，２，３において、１は非免震構造でなる建造物の階床、２は免震構造でなる建造物の階床である。両階床１，２は連絡可能にエスカレータ３によって連結されている。
【００１４】
両階床１，２には、相手方階床のエスカレータ取付部方向に向かって段違いに張り出す支持台４，６が設けられており、両支持台４，６上には上記エスカレータ３の端部をそれぞれ支持する支持部材５，７が、鉛直軸周りに回転可能なベアリング９を介して一体的に取り付けられている。
【００１５】
階床１側の支持部材５には、エスカレータ３の一端の取付金具１４ａ下面に下方に突出して一体的に固設された結合部材３ａが、ピン１０を介して水平軸周りに回転可能に結合されている。また、階床２側の支持部材７先端には、ローラ１２が設けられ、当該ローラ１２上にエスカレータ３の他端の取付金具１４ｂが載置されて支持されている。ローラ１２は、コ字状をなす支持部材７の２つの側壁８，８間に位置し、ピン１１により水平軸周りに回転自在に支持されている。また、側壁８，８の間隔は取付金具１４ｂの幅より僅かに広く、エスカレータ３の他端側はローラ１２に支持されている状態で、そのの取付金具１４ｂが側壁８，８の間に入り込み、当該支持部材７の側壁８に対しエスカレータ搬送方向に沿って摺動自在に係合している。
【００１６】
階床１及び階床２とエスカレータ３との取合い部分には相互の相対変位を許容するために所定のクリアランスが空けられており、この取り合い部分のクリアランスには、ゴム材等でなる弾性部材１３が介在され、上部は床面仕上げ材１７で覆われている。
【００１７】
次に、図１，４により、両階床１，２の挙動と本発明によるエスカレータ３及び連結部の動きを説明する。
【００１８】
通常、２つの階床１，２は図１，４（ａ）のように両階床から張り出した支持台４，６が段違いに対向するような位置に保たれている。ところが、大地震等により両階床１，２が揺れ、両者の振動モードの相違等により鉛直方向及び水平方向の相対位置にずれが生じた場合、各々の階床１、２の変位に追従して階床１，２とエスカレータ３との連結部分の相対位置関係にずれが生じる。
【００１９】
即ち、両階床に鉛直方向への相対位置のずれが生じた場合、エスカレータ３は、その両端が両階床１，２に引っ張られ、エスカレータ３の一端の下側に一体的に設けた結合部材３ａが、階床１の支持台４に固設した支持部材５のピン１０により水平軸周りに回動して、当該階床１との取付角度が変わる。一方、階床２に対しては、エスカレータ３の他端は階床２の支持部材７の先端に設けられたローラ１２上に載置されているから、エスカレータ３はローラ１２上を、当該エスカレータ３の傾きに応じて転動して、当該階床２との取付角度が変わる。
【００２０】
また、両階床に水平方向への相対位置のずれが図４（ｂ）のように生じた場合、エスカレータ３はその両端が両階床１，２に引っ張られ、階床１に対しては、エスカレータ３の一端が階床１の支持台４に取り付けられたベアリング９により水平方向に鉛直軸周りに回動して、当該階床１との取付角度が変わる。一方、階床２に対しては、エスカレータ３の他端側取付金具１４ｂが階床２の支持部材７の側壁８間に入り込んで通路長方向に沿って摺動自在に係合しているため、支持部材７はエスカレータ３と一体となって当該エスカレータ３の傾きに応じて鉛直軸周りに回動して、当該階床２との取付角度が変わる。
【００２１】
また、これら鉛直方向及び水平方向の相対位置の変化とエスカレータの取付角度の変化に伴い両階床１，２の支持部材５，７間の間隔、即ちスパンが変動することになるが、このスパンの変動に対してはエスカレータ３の他端側取付金具１４ｂが支持部材７の側壁８，８と摺動しつつローラ１２を回転させて転動移動することにより、当該スパン変動が吸収される。
【００２２】
ここで、階床１，２とエスカレータ３との取合い部分のクリアランスには、弾性部材１３が介在されているので、階床１，２とエスカレータ３とのそれぞれのクリアランス変化に応じて弾性部材１３が変形するため、両者の間に隙間は発生せず、またその動作に対し緩衝作用を発揮する。
【００２３】
なお、上記実施例では非免震構造でなる建造物の階床１と免震構造でなる建造物の階床２とをエスカレータ３で繋ぐ場合を例示したが、本発明のエスカレータの取付構造はこれに限らず、免震構造の建造物の階床同士、あるいは非免震で剛構造の建造物の階床同士を連結するエスカレータに適用しても良く、当該エスカレータ３で繋ぐ上下階の階床は、その建造物の構造が免震構造、非免震構造、剛構造、柔構造等の如何を問わず、またそれらの任意の組み合わせに適用でき、同様の効果が得られる。
【００２４】
また、階床２の支持部７は、上下の方向を入れ替えてエスカレータ３側に取り付けて、階床２の支持台６に乗せ、支持台６を支持部７の側壁８の間にはめ込むことによっても同様の効果が得られる。
【００２５】
【発明の効果】
本発明によれば、耐震性に優れたエスカレータの取付構造を提供することが可能となる。
【図面の簡単な説明】
【図１】本発明に係る通路構造の概略構成を示す一実施形態の縦断面図である。
【図２】図１に示す連絡通路構造のＡ−Ａ断面図である。
【図３】図１に示す連絡通路構造のＢ−Ｂ断面図である。
【図４】本発明の一実施形態を示す動作モデル図である。
【図５】従来のエスカレータ構造を概略的に示す縦断面図である。
【図６】従来のエスカレータの取付方法を示す縦断面図である。
【符号の説明】
１    階床（非免震構造の建造物）
２    階床（免震構造の建造物）
３    エスカレータ
４、６    支持台
５、７    支持部材
８    側壁
９    ベアリング
１０、１１    ピン
１２    ローラ
１３    弾性部材
１４    エスカレータフレーム
１５    ボルト
１６    モルタル層
１７    床仕上げ材
【図１】
0004147623.tif 000002
【図２】
0004147623.tif 000003
【図３】
0004147623.tif 000004
【図４】
0004147623.tif 000005
【図５】
0004147623.tif 000006
【図６】
0004147623.tif 000007